(57)【要約】【課題】デジタル放送の映像・音声の出力状態と相関が取れた受信状態の提示ができるデジタル放送受信状態表示装置とその表示方法を提供すること。【解決手段】アンテナ１０１は、デジタル放送電波を受ける。復調部１０２は、受信した放送電波の復調処理を行い、復調データを出力する。誤り訂正部１０３は復調データについて誤り訂正処理を行い、音声と映像の圧縮多重データであるＴＳＰを出力し、ＢＥＲを算出する。受信状態判定部１１１は、誤り訂正部１０３が算出するＢＥＲにより、受信レベルを決定し、受信レベルに応じたアイコンデータを記憶部１１２から取り出し、表示部１０７で表示する。【選択図】図１
2006287841.tif 000002
【特許請求の範囲】
【請求項１】
デジタル放送波を受信するアンテナと、
前記受信したデジタル放送波を復調する復調部と、
前記復調部により復調された前記デジタル放送波の誤り訂正を行い、エラーレートを算出する誤り訂正部と、
前記誤り訂正部で算出されたエラーレートに基づいて、受信状態を判定する受信状態判定部と、
前記判定された受信状態を示す出力を行う出力部と、
を備えるデジタル放送受信装置。
【請求項２】
キャリア変調方式を示す情報を含むデジタル放送波を受信するアンテナと、
前記受信したデジタル放送波を復調する復調部と、
前記デジタル放送波に含まれるキャリア変調方式を示す情報を取得する受信状態判定部と、
前記取得されたキャリア変調方式を示す情報を出力する出力部と、
を備えるデジタル放送受信装置。
【請求項３】
キャリア変調方式を示す情報を含むデジタル放送波を受信するアンテナと、
前記受信したデジタル放送波を復調する復調部と、
前記デジタル放送波に含まれるキャリア変調方式を示す情報を取得し、前記取得したキャリア変調方式と、前記復調されたデジタル放送波に含まれるキャリア出力信号とノイズとの比とに基づいて、受信状態を判定する受信状態判定部と、
前記判定された受信状態を示す出力を行う出力部と、
を備えるデジタル放送受信装置。
【請求項４】
キャリア変調方式を示す情報を含むデジタル放送波を受信するアンテナと、
前記受信したデジタル放送波を復調する復調部と、
前記復調部により復調された前記デジタル放送波の誤り訂正を行い、エラーレートを算出する誤り訂正部と、
前記デジタル放送波に含まれるキャリア変調方式を示す情報を取得し、前記取得したキャリア変調方式と、前記誤り訂正部で算出されたエラーレートと、前記復調されたデジタル放送波に含まれるキャリア出力信号とノイズとの比とに基づいて、受信状態を判定する受信状態判定部と、
前記判定された受信状態を示す出力を行う出力部と、
を備えるデジタル放送受信装置。
【発明の詳細な説明】
【技術分野】
【０００１】
本発明は、デジタル放送が視聴できる、デジタル放送受信状態表示装置および、デジタル放送の受信状態の表示方法に関する。
【背景技術】
【０００２】
図１０は一般的な携帯電話機２の構成を示すブロック図である。
【０００３】
携帯電話機２は、受信信号をアンテナ２０１で受信し、送受信部２０２にて必要帯域に制限される。必要周波数に変換された受信信号は変復調部２０３へ送られる。このとき、入力電力の強度（電圧）が変復調部によって数値化される。制御部２０４は入力電力の強度（電圧）を記憶部２０６に記録されている基準値と比較して、電界強度をあらわすバーの本数を決定し表示部２０５にて表示する。さらに携帯電話機２は、キーなど入力を行う操作部２０７と、音声の入力や音声の出力を行う音声入出力部２０８とを含む。
【０００４】
特許文献１では、携帯電話の電波の受信状態を判定し、それに応じて表示部の画面色を変更することで、受信状態を見やすくし、携帯電話の使い勝手を向上させることを目的としている。
【特許文献１】特開２００２−５１１１９号公報
【発明の開示】
【発明が解決しようとする課題】
【０００５】
従来の携帯電話のように電界強度によって受信状態を表示した場合、デジタル放送受信機は、受信良好と提示されても妨害信号などの影響で映像・音声がクリアに表示されない場合がある。
【課題を解決するための手段】
【０００６】
本発明における第１の発明では、上記課題を解決するために、デジタル放送波を受信するアンテナと、デジタル放送波を復調する復調部と、復調部により復調されたデジタル放送波の誤り訂正を行い、エラーレートを算出する誤り訂正部と、誤り訂正部で算出されたエラーレートより受信状態を判定する受信状態判定部と、受信状態判定部で判定された受信状態を出力する出力部とを備える。
【０００７】
本発明における第２の発明は、キャリア変調方式を示す情報を含むデジタル放送波を受信するアンテナと、受信したデジタル放送波を復調する復調部と、デジタル放送波に含まれるキャリア変調方式を示す情報を取得する受信状態判定部と、取得されたキャリア変調方式を示す情報を出力する出力部と、を備える。
【０００８】
本発明における第３の発明は、キャリア変調方式を示す情報を含むデジタル放送波を受信するアンテナと、受信したデジタル放送波を復調する復調部と、デジタル放送波に含まれるキャリア変調方式を示す情報を取得し、取得したキャリア変調方式と、復調されたデジタル放送波に含まれるキャリア出力信号とノイズとの比とに基づいて、受信状態を判定する受信状態判定部と、判定された受信状態を示す出力を行う出力部と、を備える。
【０００９】
本発明における第４の発明は、キャリア変調方式を示す情報を含むデジタル放送波を受信するアンテナと、受信したデジタル放送波を復調する復調部と、復調部により復調されたデジタル放送波の誤り訂正を行い、エラーレートを算出する誤り訂正部と、デジタル放送波に含まれるキャリア変調方式を示す情報を取得し、取得したキャリア変調方式と、誤り訂正部で算出されたエラーレートと、復調されたデジタル放送波に含まれるキャリア出力信号とノイズとの比とに基づいて、受信状態を判定する受信状態判定部と、判定された受信状態を示す出力を行う出力部と、を備える。
【発明の効果】
【００１０】
誤り訂正部の算出するエラーレートによって受信状態を判定することで、デジタル放送の映像・音声出力と相関の取れた受信状態を提示することができる。ユーザが視聴するデジタル放送の映像・音声出力と相関しているので違和感が無く、デジタル放送受信機の使い勝手を向上させることができる。
【発明を実施するための最良の形態】
【００１１】
（実施の形態１）
以下、本発明の第１の実施形態におけるデジタル放送受信状態表示装置について、図１を参照しながら説明する。
【００１２】
図１は本発明の第１の実施形態におけるデジタル放送受信状態表示装置（以下、デジタルテレビと称す）の構成を示したブロック図である。デジタルテレビ１は、アンテナ１０１、復調部１０２、誤り訂正部１０３、トランスポートデコード部１０４、制御部１０５、映像復号部１０６、表示部１０７、音声復号部１０８、音声出力部１０９、操作部１１０、受信状態判定部１１１、記憶部１１２から構成される。
【００１３】
アンテナ１０１は、放送局より送出されるデジタル放送電波を受ける。復調部１０２は、受信した放送電波の復調処理を行い、復調データを出力する。誤り訂正部１０３は復調データについて誤り訂正処理を行い、音声と映像の圧縮多重データであるトランスポートストリームパケット（以下、ＴＳＰと称す）と、ビットエラーレート（以下、ＢＥＲと称す）を出力する。トランスポートデコード部１０４は、トランスポートストリームパケットから圧縮音声データ、および圧縮映像データを分離する。操作部１１０は、電源のＯＮ／ＯＦＦ、受信チャネルの指定等、ユーザがデジタルテレビ１に指示を与えるためのものである。音声復号部１０８は、音声ストリームを原音声データに復号（デコード）する。音声出力部１０９は、上記原音声データを出力する。スピーカー、ヘッドホン出力ジャック等が音声出力部１０９にあたる。映像復号部１０６は、映像ストリームを原映像データに復号する。受信状態判定部１１１は、誤り訂正部の出力するデータから受信状態を判定し、受信レベルを決定する。受信状態判定部１１１の詳細動作は、後述の図３に示すフローチャートで説明する。表示部１０７は、原映像データを出力し、受信レベルに応じたアイコンを提示する。例えば、液晶ディスプレイ等が表示部１０７に相当する。また、受信レベルに応じたアイコンとは例えば、３本のバーによって受信レベルを４段階に分けて表現するアイコンであり、３本バーのアイコンが提示されている状態は、最高の受信状態で問題なくテレビ番組を出力できる状態で、０本のバーのアイコンが提示されている状態は、最悪の受信状態でほとんどテレビ番組を出力できない状態である。制御部１０５は、デジタルテレビ１が、後述の図２に示すフローチャートに対応する動作を実行するための制御を行う。
【００１４】
以下、図２を用いて、デジタルテレビ１の詳細な動作を説明する。図２は本発明の実施の形態１におけるデジタルテレビ１の動作を示すフローチャートである。図２においてまず、制御部１０５はアンテナ表示指示を受ける（ステップＳ１０１）。アンテナ表示指示は、たとえば、ユーザによるメニューからの選択操作やアンテナ表示ボタンの押下操作である。アンテナ表示指示を操作部１１０が検出し、制御部１０５に通知することで、制御部１０５はアンテナ表示指示を受け付ける。
【００１５】
次に制御部１０５は同期情報を取得する（ステップＳ１０２）。同期情報は、放送波を受信しているか否かの情報で、復調部１０２が、アンテナ１０１によって受信した放送電波の復調処理を行う際に検出する。たとえば、復調部１０２によるアナログ信号のデジタル化、ＦＦＴ（高速フーリエ変換）、同期検波により検出できる。同期検波は、受信信号にＳＰ（Ｓｃａｔｔｅｒｅｄ  Ｐｉｌｏｔ）と呼ばれる既知の情報が一定の間隔で含まれており、このＳＰ情報から伝送路特性を推定し同期検波を行う。制御部１０５は復調部１０２の出力する同期情報を取得することで、放送波を受信しているか否かを判別できる（ステップＳ１０３）。同期していないとき（ステップＳ１０３でＮＯ）は、制御部１０５は放送波を受信できていないことを示すアイコンを表示部１０７に表示する。受信できていないことを示すアイコンとして、たとえば、圏外アイコンを表示する（ステップＳ１０８）。
【００１６】
同期しているとき（ステップＳ１０３でＹＥＳ）は、制御部１０５は誤り訂正部１０３からＢＥＲを取得し受信状態判定部１１１  へＢＥＲを渡す（ステップＳ１０４）。誤り訂正部１０３の行うデジタル放送の誤り訂正処理とは、復調部１０５の出力データを、デインタリーブ、ビタビ復号、リードソロモン復号を行い、ＴＳＰを出力することである。本発明ではＢＥＲを、ビタビ復号後のビット誤り率として説明するが、復調後のビット誤り率、リードソロモン復号後のパケット誤り率であってもよい。
【００１７】
受信状態判定部１１１は、ＢＥＲを取得しＢＥＲの値に応じて受信レベルを決定し、表示部１０７で受信レベルに対応したアイコン等を提示する。アイコンのデータは記憶部１１２に記憶してある。
【００１８】
受信状態判定部１１１は、ＢＥＲの値がＡ未満のとき（ステップＳ１０５でＹＥＳ）は、受信状態が最高であることを示すアイコンを表示部１０７に表示する。受信状態が最高であることを示すアイコンとして、たとえば、３本のバーアイコンを表示する（ステップＳ１０９）。受信状態が最高の状態のときは、テレビ番組コンテンツの映像も音声も全く乱れることが無い。
【００１９】
受信状態判定部１１１は、ＢＥＲの値がＡ以上Ｂ未満のとき（ステップＳ１０６でＹＥＳ）は、受信状態がやや良であることを示すアイコンを表示部１０７に表示する。受信状態がやや良であることを示すアイコンとして、たとえば、２本のバーアイコンを表示する（ステップＳ１１０）。受信状態がやや良のときは、テレビ番組コンテンツの映像や音声がたまに乱れるが、ユーザが気にならない程度である。
【００２０】
受信状態判定部１１１は、ＢＥＲの値がＢ以上Ｃ未満のとき（ステップＳ１０６でＹＥＳ）は、受信状態がやや悪であることを示すアイコンを表示部１０７に表示する。受信状態がやや悪であることを示すアイコンとして、たとえば、１本のバーアイコンを表示する（ステップＳ１１１）。受信状態がやや悪のときは、テレビ番組コンテンツの映像や音声がたまに乱れ、ユーザが多少気になる程度である。
【００２１】
受信状態判定部１１１は、ＢＥＲの値がＣ以上のとき（ステップＳ１０７でＮＯ）は、受信状態が悪であることを示すアイコンを表示部１０７に表示する。受信状態が悪であることを示すアイコンとして、たとえば、０本のバーアイコンを表示する（ステップＳ１１２）。受信状態が悪のときは、テレビ番組コンテンツの映像や音声が乱れ、ユーザはほとんど視聴することができない。
【００２２】
制御部１０５は、アンテナ表示終了指示を受けることで（ステップＳ１１３）、表示部１０７でのアンテナ表示を終了する（ステップＳ１１３でＹＥＳ）。アンテナ表示終了指示は、たとえば、ユーザによるメニュー選択操作やアンテナ表示ボタン押下操作である。アンテナ表示終了指示を操作部１１０が検出し、制御部１０５に通知することで、制御部１０５は、アンテナ表示終了指示を受け付ける。アンテナ表示終了指示が無い場合（ステップＳ１１３でＮＯ）、同期情報取得（ステップＳ１０２）から繰り返し行う。繰り返すタイミングは短くても長くても良いが、繰り返すタイミングが短ければ受信情報の提示が即時に反映されるが処理負荷が大きくなり、繰り返すタイミングが長ければ受信情報の提示が遅延するが処理負荷が小さくなる。ユーザ操作で繰り返しのタイミングが変更できても良い。
【００２３】
なお、本明細では受信状態の変化を、受信レベルに応じたアイコンを表示部１０７で提示することとして説明したが、受信レベルに応じた音声を音声出力部１０９で提示してもよい。
【００２４】
以上説明したように、実施の形態１ではＢＥＲによって受信レベルを決定することで、デジタル放送の映像・音声出力と相関の取れた受信状態を提示できる。ユーザが視聴するデジタル放送の映像・音声出力と相関しているので違和感が無く、デジタル放送受信機の使い勝手を向上させることができる。
【００２５】
（実施の形態２）
以下、本発明の第２の実施形態におけるデジタル放送受信状態表示装置について、図１、図３を参照しながら説明する。
【００２６】
以下、図１、図３を用いて、デジタルテレビ１の詳細な動作を説明する。図３は本発明の実施形態２におけるデジタルテレビ１の動作を示すフローチャートである。図３においてまず、制御部１０５はモード表示指示を受ける（ステップＳ２０１）。モード表示指示は、たとえば、ユーザがメニューからの選択操作やモード表示ボタンの押下操作である。モード表示指示を操作部１１０が検出し、制御部１０５に通知することで、制御部１０５はモード表示指示を受け付ける。モードとは、キャリア変調方式で、たとえば、ＱＰＳＫ、１６ＱＡＭなどが携帯用のデジタルテレビ放送で使用される。
【００２７】
次に制御部１０５は同期情報を取得する（ステップＳ２０２）。制御部１０５は復調部１０２の出力する同期情報を取得することで、放送波を受信しているか否かを判別できる（ステップＳ２０３）。同期していないとき（ステップＳ２０３でＮＯ）は、制御部１０５は放送波を受信できていないことを示すアイコンを表示部１０７に表示する。受信できていないことを示すアイコンとして、たとえば、圏外アイコンを表示する（ステップＳ２０６）。
【００２８】
次に制御部１０５はモード情報を取得する（ステップＳ２０４）。モード情報は、復調部１０２の復調したＴＭＣＣから取得できる。制御部１０５はモード情報を表示部１０７に表示する。モード情報として、キャリア変調方式が１６ＱＡＭならば、より高ビットレートのコンテンツを伝送できることを示す「高画質モード」、ＱＰＳＫならば、より伝送誤りに対する強さを示す「高感度モード」として、ユーザに分かりやすい言葉に変換して、表示部１０７に表示しても良い。また、モード情報を音声などに変換し、音声出力部１０９で提示しても良い。
【００２９】
以上説明したように、実施形態２では、放送局側によるキャリア変調方式の変更、チャンネル毎のキャリア変調方式の違いを提示することができるので、ユーザがデジタル放送を視聴中に、突然映像、音声の出力がなくなっても、キャリア変調方式の変更の旨をユーザに提示することができ、ユーザが次にすべき操作を提案することができる。
【００３０】
（実施の形態３）
以下本発明の第３の実施形態におけるデジタル放送受信装置について、図１、図４、図５、図６、図７を参照しながら説明する。
【００３１】
以下、図５、図６を用いて、デジタルテレビ１の詳細な動作を説明する。図５は本発明の実施形態におけるデジタルテレビ１の動作を示すフローチャートである。図５においてまず、制御部１０５はアンテナ表示指示を受ける（ステップＳ３０１）。アンテナ表示指示は、たとえば、ユーザがメニューからの選択操作やアンテナ表示ボタンの押下操作である。アンテナ表示指示を操作部１１０が検出し、制御部１０５に通知することで、制御部１０５はアンテナ表示指示を受け付ける。
【００３２】
次に制御部１０５は同期情報を取得する（ステップＳ３０２）。制御部１０５は復調部１０２の出力する同期情報を取得することで、放送波を受信しているか否かを判別できる（ステップＳ３０３）。同期していないとき（ステップＳ３０３でＮＯ）は、制御部１０５は放送波を受信できていないことを示すアイコンを表示部１０７に表示する。受信できていないことを示すアイコンとして、たとえば、圏外アイコンを表示する（ステップＳ３０７）。
【００３３】
次に制御部１０５はモード情報を取得する（ステップＳ３０４）。モード情報は、復調部１０２の復調したＴＭＣＣから取得でき、キャリア変調方式と、畳み込み符号化率を含む。キャリア変調方式には、伝送容量が大きく高品質のコンテンツを伝送できる１６ＱＡＭや、伝送誤りに強く移動体受信向きのＱＰＳＫなどがある。図４は、各キャリア変調方式におけるキャリア信号とノイズの比（以下ＣＮ比と記す）、ビット誤り率の関係を示した図である。ＣＮ比１０ｄＢで比較すると、ＱＰＳＫ（１／２）ではビット誤り率１．００Ｅ−０４でありほとんど問題なくテレビ放送を視聴できるが、１６ＱＡＭ（１／２）ではビット誤り率１．００Ｅ−０１であるのでまったくテレビ放送を視聴できない。加えて、ＱＰＳＫ（１／２）、ＱＰＳＫ（２／３）といった畳み込み符号が異なっても、ビット誤り率におけるＣＮ比の特性が異なっている。制御部１０５は、復調部１０２からＣＮ比を取得し受信状態判定部１１１  へ渡す（ステップＳ３０５）。ＣＮ比には、復調部１０２が受信信号の平均電力から算出するＣＮＡと、誤り訂正部１０３が硬判定結果を基に再生されたマッピングと受信信号との誤差から算出するＣＮＢがある。なお、本明細書ではＣＮ比をＣＮＡであるとして説明するが、ＣＮＢであっても良い。
【００３４】
受信状態判定部１１１では、モード情報に含まれるキャリア変調方式と畳み込み符号化によって次の処理Ｎを決定し（ステップＳ３０６）、モード情報に対応した処理Ｎを行う（ステップＳ３０８）。たとえば、モード情報がＱＰＳＫ（１／２）なら処理１を、１６ＱＡＭ（１／２）なら処理２を実行する。
【００３５】
制御部１０５は、アンテナ表示終了指示を受けることで（ステップＳ３０９）、表示部１０７でのアンテナ表示を終了する（ステップＳ３０９でＹＥＳ）。アンテナ表示終了指示は、たとえば、ユーザによるメニュー選択操作やアンテナ表示ボタン押下操作である。アンテナ表示終了指示を操作部１１０が検出し、制御部１０５に通知することで、制御部１０５は、アンテナ表示終了指示を受け付ける。アンテナ表示終了指示が無い場合（ステップＳ３０９でＮＯ）、同期情報取得（ステップＳ３０２）から繰り返し行う。
【００３６】
以下、図６を用いて、モード情報に対応した処理Ｎ（ステップＳ３０８）について、制御部１０５と受信状態判定部１１１の詳細な動作を説明する。図６は、図５のステップＳ３０８で示したモード情報に対応した処理Ｎの詳細を示したフローチャートである。
【００３７】
図６においてまず、受信状態判定部１１１は、ＣＮ比の値がＡ’以上のとき（ステップＳ３１０でＹＥＳ）は、受信状態が最高であることを示すアイコンを表示部１０７に表示する。受信状態が最高であることを示すアイコンとして、たとえば、３本のバーアイコンを表示する（ステップＳ３１３）。受信状態が最高の状態のときは、テレビ番組コンテンツの映像も音声も全く乱れることが無い。
【００３８】
受信状態判定部１１１は、ＣＮ比の値がＢ’以上Ａ’未満のとき（ステップＳ３１１でＹＥＳ）は、受信状態がやや良であることを示すアイコンを表示部１０７に表示する。受信状態がやや良であることを示すアイコンとして、たとえば、２本のバーアイコンを表示する（ステップＳ３１４）。受信状態がやや良のときは、テレビ番組コンテンツの映像や音声がたまに乱れるが、ユーザが気にならない程度である。
【００３９】
受信状態判定部１１１は、ＣＮ比の値がＣ’以上Ｂ’未満のとき（ステップＳ３１２でＹＥＳ）は、受信状態がやや悪であることを示すアイコンを表示部１０７に表示する。受信状態がやや悪であることを示すアイコンとして、たとえば、１本のバーアイコンを表示する（ステップＳ３１５）。受信状態がやや悪のときは、テレビ番組コンテンツの映像や音声がたまに乱れ、ユーザが多少気になる程度である。
【００４０】
受信状態判定部１１１は、ＣＮ比の値がそれ以外のとき（ステップＳ３１２でＮＯ）は、受信状態が悪であることを示すアイコンを表示部１０７に表示する。受信状態が悪であることを示すアイコンとして、たとえば、０本のバーアイコンを表示する（ステップＳ３１６）。受信状態が悪のときは、テレビ番組コンテンツの映像や音声が乱れ、ユーザはほとんど視聴することができない。
【００４１】
以下、図７を用いてステップＳ３０６とステップＳ３０８の処理の具体例を説明する。図７はモード情報とＣＮ比による具体的な受信レベルの選択方法を示したテーブルである。この例では、モード情報に含まれるキャリア変調方式をＱＰＳＫ、畳み込み符号化１／２とする。このときＣＮ比の値が８とすると、図７のテーブルより受信レベル２が導かれ、表示部１０７は２本のバーアイコンを表示（ステップＳ３１４）する。
【００４２】
以上説明したように、実施形態３では、放送局側によるキャリア変調方式の違いによって参照するテーブルを変え、受信レベル決定のためにＣＮ比とＢＥＲを用いて閾値を変えているので、たとえば放送局Ａ（ＱＰＳＫ）も放送局Ｂ（１６ＱＡＭ）も同じ２本のバーアイコンが提示されているにも関わらず、放送局Ａでは映像、音声とも問題なく視聴できて、放送局Ｂでは映像、音声とも視聴できないといった不具合が解消される。
【００４３】
（実施の形態４）
以下本発明の第４の実施形態におけるデジタル放送受信装置について、図１、図８、図９を参照しながら説明する。
【００４４】
以下、図８を用いて、デジタルテレビ１の詳細な動作を説明する。図８は、本発明の実施形態４におけるデジタルテレビ１の動作を示すフローチャートである。図８においてまず、制御部１０５はアンテナ表示指示を受ける（ステップＳ４０１）。アンテナ表示指示は、たとえば、ユーザがメニューからの選択操作やアンテナ表示ボタンの押下操作である。アンテナ表示指示を操作部１１０が検出し、制御部１０５に通知することで、制御部１０５はアンテナ表示指示を受け付ける。
【００４５】
次に制御部１０５は同期情報を取得する（ステップＳ４０２）。制御部１０５は復調部１０２の出力する同期情報を取得することで、放送波を受信しているか否かを判別できる（ステップＳ４０３）。同期していないとき（ステップＳ４０３でＮＯ）は、制御部１０５は放送波を受信できていないことを示すアイコンを表示部１０７に表示する。受信できていないことを示すアイコンとして、たとえば、圏外アイコンを表示する（ステップＳ４０８）。
【００４６】
次に制御部１０５はモード情報を取得する（ステップＳ４０４）。モード情報は、復調部１０２の復調したＴＭＣＣから取得でき、キャリア変調方式と、畳み込み符号化率を含む。
【００４７】
制御部１０５は、制御部１０５は誤り訂正部１０３からＢＥＲを取得し受信状態判定部１１１へＢＥＲを渡し（ステップＳ４０５）、復調部１０２からＣＮ比を取得し受信状態判定部１１１  へ渡す（ステップＳ４０６）。
【００４８】
受信状態判定部１１１は、モード情報に含まれるキャリア変調方式と畳み込み符号化によってテーブルを決定し、テーブルより受信レベルを決定し（ステップＳ４０７）、受信レベルに応じたアンテナアイコンを表示部１０７で表示する（ステップＳ４０９）。
【００４９】
制御部１０５は、アンテナ表示終了指示を受けることで（ステップＳ４１０）、表示部１０７でのアンテナ表示を終了する（ステップＳ４１０でＹＥＳ）。アンテナ表示終了指示は、たとえば、ユーザによるメニュー選択操作やアンテナ表示ボタン押下操作である。アンテナ表示終了指示を操作部１１０が検出し、制御部１０５に通知することで、制御部１０５は、アンテナ表示終了指示を受け付ける。アンテナ表示終了指示が無い場合（ステップＳ４１０でＮＯ）、同期情報取得（ステップＳ４０２）から繰り返し行う。
【００５０】
以下、図９を用いて、受信レベルの決定（ステップＳ４０７）について、制御部１０５と受信状態判定部１１１の詳細な動作を説明する。図９はモード情報、ＣＮ比とＢＥＲによる受信レベル決定の具体例を示したテーブルである。この例では、モード情報に含まれるキャリア変調方式をＱＰＳＫ、畳み込み符号化１／２とする。
【００５１】
例えば、ＣＮ比の値が１３、ＢＥＲの値が０のときは、図９のテーブルより受信レベル３が導かれ、受信レベルが最高であることを示すアイコンを表示部１０７に表示する。受信レベルが最高であることを示すアイコンとして、たとえば、３本のバーアイコンを表示する（ステップＳ４０９）。受信レベルが最高の状態のときは、テレビ番組コンテンツの映像も音声も全く乱れることが無い。
【００５２】
例えば、ＣＮ比の値が６、ＢＥＲの値が１．００Ｅ−５のときは、図９のテーブルより受信レベル２が導かれ、受信レベルがやや良であることを示すアイコンを表示部１０７に表示する。受信レベルがやや良であることを示すアイコンとして、たとえば、２本のバーアイコンを表示する（ステップＳ４０９）。受信レベルがやや良のときは、テレビ番組コンテンツの映像や音声がたまに乱れるが、ユーザが気にならない程度である。
【００５３】
例えば、ＣＮ比の値が６、ＢＥＲの値が２．００Ｅ−４のときは、図９のテーブルより受信レベル１が導かれ、受信レベルがやや悪であることを示すアイコンを表示部１０７に表示する。受信レベルがやや悪であることを示すアイコンとして、たとえば、１本のバーアイコンを表示する（ステップＳ４０９）。受信レベルがやや悪のときは、テレビ番組コンテンツの映像や音声がたまに乱れ、ユーザが多少気になる程度である。
【００５４】
例えば、ＣＮ比の値が４、ＢＥＲの値が１．００Ｅ−２のときは、図９のテーブルより受信レベル０が導かれ、受信レベルが悪であることを示すアイコンを表示部１０７に表示する。受信レベルが悪であることを示すアイコンとして、たとえば、０本のバーアイコンを表示する（ステップＳ４０９）。受信レベルが悪のときは、テレビ番組コンテンツの映像や音声が乱れ、ユーザはほとんど視聴することができない。
【００５５】
以上説明したように、実施形態４では、実施形態３の効果に加えて、たとえば反射波等の影響でＣＮ比は大きな値を示すが、映像、音声が視聴しにくいといった状況に置いても、受信レベルの決定にＢＥＲ値も考慮するので、より出力する映像、音声に相関が取れた受信状態を示すアイコンを提示できる。
【産業上の利用可能性】
【００５６】
本発明にかかるデジタル放送受信状態表示装置および方法は、携帯電話等のデジタルテレビ放送受信装置に有用である。
【図面の簡単な説明】
【００５７】
【図１】本発明におけるデジタル放送受信状態表示装置の構成を示したブロック図
【図２】本発明の実施の形態１における制御部と受信状態判定部の動作を示すフローチャート
【図３】本発明の実施の形態２における制御部と受信状態判定部の動作を示すフローチャート
【図４】各キャリア変調方式におけるＣＮ比とビット誤り率の関係図
【図５】本発明の実施の形態３における制御部と受信状態判定部の動作を示すフローチャート
【図６】図５のステップＳ３０８で示したモード情報に対応した処理Ｎの詳細を示したフローチャート
【図７】モード情報とＣＮ比による具体的な受信レベルの選択方法を示したテーブルを示す図
【図８】本発明の実施の形態４における制御部と受信状態判定部の動作を示すフローチャート
【図９】モード情報、ＣＮ比とＢＥＲによる具体的な受信レベルの選択方法を示したテーブルを示す図
【図１０】一般的な携帯電話機２の構成を示したブロック図
【符号の説明】
【００５８】
１    デジタル放送受信状態表示装置
１０１    アンテナ
１０２    復調部
１０３    誤り訂正部
１０４    トランスポートデコード部
１０５    制御部
１０６    映像復号部
１０７    表示部
１０８    音声復号部
１０９    音声出力部
１１０    操作部
１１１    受信状態判定部
１１２    記憶部
２    一般的な携帯電話機
２０１    アンテナ
２０２    送受信部
２０３    変復調部
２０４    制御部
２０５    表示部
２０６    記憶部
２０７    操作部
２０８    音声入出力部
【図１】
2006287841.tif 000003
【図２】
2006287841.tif 000004
【図３】
2006287841.tif 000005
【図４】
2006287841.tif 000006
【図５】
2006287841.tif 000007
【図６】
2006287841.tif 000008
【図７】
2006287841.tif 000009
【図８】
2006287841.tif 000010
【図９】
2006287841.tif 000011
【図１０】
2006287841.tif 000012